(57)【要約】      （修正有）【課題】正確に圧力を表示するよう形成された機械伝動式デジタル表示圧力計の提供。【解決手段】機械伝動式デジタル表示圧力計は、機械の駆動手段中心軸と遮光輪中心軸の底側にダンパディスクが設けられ、圧力計のダンパディスクに対応する位置に、凹室が形成されて該ダンピングディスクを収容し、該凹室内にダンパオイルが充填され並びにシールカバーで凹室が密封され、ダンパオイルの発生する適当な抵抗力により遮光輪と駆動手段の回転速度を減らした。【選択図】図１
0003103685.tif 000002
【実用新案登録請求の範囲】
【請求項１】
機械構造、電子基板、液晶ディスプレイ、ダンパ機構で組成された機械伝動式デジタル表示圧力計であり、
該機械構造は、ブルドン管と駆動手段及び検出装置で組成され、
該電子基板は、検出装置と液晶ディスプレイを接続し、並びに電池で電力を供給し、
該液晶ディスプレイは、圧力値をデジタル表示し、
該ダンパ機構は、凹室内にダンパディスクと充填ダンパオイルが設けられ、並びにシールカバーで密封されてなり、ダンパディスクが該機械構造に接続され、
該機械構造の検出装置に機械動作が組み合わされて検出信号を出力し、その圧力数値をデジタル表示し、ダンパ機構が抵抗力を発生して遮光輪の回転速度を減らし、検出装置のセンサに正確に圧力値を検出させるよう形成されたことを特徴とする、機械伝動式デジタル表示圧力計。
【請求項２】
請求項１記載の機械伝動式デジタル表示圧力計において、遮光輪の中心軸の一端にダンパディスクが設けられ、圧力計のこのダンパディスクに対応する位置に凹室が設けられてこのダンパディスクを収容し、凹室内が並びにダンパオイルで充満されてシールカバーで凹室が密封されたことを特徴とする、機械伝動式デジタル表示圧力計。
【請求項３】
請求項１記載の機械伝動式デジタル表示圧力計において、機械構造の駆動手段の中心軸の一端にダンパディスクが設けられ、圧力計のこのダンパディスクに対応する位置に凹室が設けられてこのダンパディスクを収容し、凹室内が並びにダンパオイルで充満されてシールカバーで凹室が密封されたことを特徴とする、機械伝動式デジタル表示圧力計。
【考案の詳細な説明】
【技術分野】
【０００１】
本考案は一種の機械伝動式デジタル表示圧力計に係り、特に機械の駆動手段中心軸と遮光輪中心軸の底側にダンパディスクが設けられ、圧力計のダンパディスクに対応する位置に、凹室が形成されて該ダンピングディスクを収容し、該凹室内にダンパオイルが充填され並びにシールカバーで凹室が密封され、ダンパオイルの発生する適当な抵抗力により遮光輪と駆動手段の回転速度を減らし、センサに正確に圧力を検出させられる、機械伝動式デジタル表示圧力計に関する。
【背景技術】
【０００２】
従来の機械伝動式デジタル表示圧力計は、遮光輪の回転速度が速過ぎて検出装置のセンサの反応が間に合わないと計算上の誤差が発生するという問題を有している。
【考案の開示】
【考案が解決しようとする課題】
【０００３】
本考案は正確な圧力表示が行なえる機械伝動式デジタル表示圧力計を提供することを目的としている。
【課題を解決するための手段】
【０００４】
請求項１の考案は、機械構造、電子基板、液晶ディスプレイ、ダンパ機構で組成された機械伝動式デジタル表示圧力計であり、
該機械構造は、ブルドン管と駆動手段及び検出装置で組成され、
該電子基板は、検出装置と液晶ディスプレイを接続し、並びに電池で電力を供給し、
該液晶ディスプレイは、圧力値をデジタル表示し、
該ダンパ機構は、凹室内にダンパディスクと充填ダンパオイルが設けられ、並びにシールカバーで密封されてなり、ダンパディスクが該機械構造に接続され、
該機械構造の検出装置に機械動作が組み合わされて検出信号を出力し、その圧力数値をデジタル表示し、ダンパ機構が抵抗力を発生して遮光輪の回転速度を減らし、検出装置のセンサに正確に圧力値を検出させるよう形成されたことを特徴とする、機械伝動式デジタル表示圧力計としている。
請求項２の考案は、請求項１記載の機械伝動式デジタル表示圧力計において、遮光輪の中心軸の一端にダンパディスクが設けられ、圧力計のこのダンパディスクに対応する位置に凹室が設けられてこのダンパディスクを収容し、凹室内が並びにダンパオイルで充満されてシールカバーで凹室が密封されたことを特徴とする、機械伝動式デジタル表示圧力計としている。
請求項３の考案は、請求項１記載の機械伝動式デジタル表示圧力計において、機械構造の駆動手段の中心軸の一端にダンパディスクが設けられ、圧力計のこのダンパディスクに対応する位置に凹室が設けられてこのダンパディスクを収容し、凹室内が並びにダンパオイルで充満されてシールカバーで凹室が密封されたことを特徴とする、機械伝動式デジタル表示圧力計としている。
【考案の効果】
【０００５】
本考案の機械伝動式デジタル表示圧力計は、機械の駆動手段中心軸と遮光輪中心軸の底側にダンパディスクが設けられ、圧力計のダンパディスクに対応する位置に、凹室が形成されて該ダンピングディスクを収容し、該凹室内にダンパオイルが充填され並びにシールカバーで凹室が密封され、ダンパオイルの発生する適当な抵抗力により遮光輪と駆動手段の回転速度を減らし、センサに正確に圧力を検出させられる。
【考案を実施するための最良の形態】
【０００６】
本考案の機械伝動式デジタル表示圧力計は、機械構造１０、電子基板４０、液晶ディスプレイ５０、検出装置６０で構成され、
該機械構造１０は、圧力入口１１にブルドン管１２が接続され、ブルドン管１２の別端に駆動手段２０が接続され、駆動手段２０が歯２１により遮光輪３０の中心軸３１を駆動し回転させ、中心軸３１に渦巻きバネ３２が巻装され、
電子基板４０は、電池４１により電力供給を受けて検出信号を液晶ディスプレイ５０に送り圧力値を表示させ、
液晶ディスプレイ５０は数値データを表示して使用者が簡単に圧力値を観察できるようにし、
検出装置６０は、遮光輪３０、センサ６１で組成され、遮光輪３０に等間隔の開孔３３が設けられ、センサ６１は開孔３３での検出と開孔３３間の遮蔽部３４の遮蔽による不検出の時間差により回転速度と回転距離を計算し、圧力値に換算する。
機械構造１０に検出装置６０の遮光輪３０とセンサ６１が増設され、圧力が機械構造１０のブルドン管１２に加わりそれを変形させる時、駆動手段２０を作動させ、駆動手段２０の別端が歯２１により遮光輪３０を駆動し回転させ、検出装置６０のセンサ６１が遮光輪３０の回転動作を検出し、並びに検出信号を出力し、電子基板４０、液晶ディスプレイ５０を通してその圧力値がデジタル表示される。
【０００７】
図２、３、４に示されるように、遮光輪３０の回転速度が速過ぎて検出装置６０のセンサ６１（図１）の反応が間に合わないと計算上の誤差が発生する。圧力計の圧力値表示を更に正確となすため、本考案は特に機械式の駆動手段２０の中心軸２２と遮光輪３０の中心軸３１の底側にダンパ機構を成すダンパディスク２３と３５を設けて、圧力計のダンパディスク２３と３５に対応する位置に凹室１３、１４を設けてダンパディスク２３と３５を収容し、凹室１３、１４内をダンパオイル１５で満たし並びにシールカバー１６、１７で密封し、ダンパオイル１５が発生する適当な抵抗力により遮光輪３０と駆動手段２０の回転速度を減らし、センサ６１により正確な圧力値検出が行なえるようにしている。
【図面の簡単な説明】
【０００８】
【図１】本考案の正面立体分解図である。
【図２】本考案の部分背面立体表示図である。
【図３】本考案の部分背面立体分解図である。
【図４】本考案の局部断面図である。
【符号の説明】
【０００９】
１０  機械構造
１１  圧力入口
１２  ブルドン管
２０  駆動手段
２１  歯
２２  中心軸
３０  遮光輪
３１  中心軸
３２  渦巻きバネ
３３  開孔
３４  遮蔽部
４０  電子基板
４１  電池
５０  液晶ディスプレイ
６０  検出装置
６１  センサ
２３、３５  ダンパディスク
１３、１４  凹室
１５  ダンパオイル
１６、１７  シールカバー
【図１】
0003103685.tif 000003
【図２】
0003103685.tif 000004
【図３】
0003103685.tif 000005
【図４】
0003103685.tif 000006